(57)【要約】本発明による巻回可能フレキシブル入力装置は、ドラムと、リールと、リールに接続される入力装置本体と、駆動部とを含み、駆動部は、渦巻ばねと、ラチェットと、規制素子と、駆動ボタンとを含み、渦巻ばねは、リールに固定される第１端部と、ドラムに固定される第２端部と、を含み、ラチェットは、リールに固定され、規制素子は、ドラムに固定され、駆動ボタンは、ドラムに取り付けられ、入力装置本体は、展開される時にリールの回転を駆動することにより、ラチェットは規制素子と係合し、渦巻ばねが弾性変形し、入力装置本体を巻き取る必要がある時、駆動ボタンは前記規制素子を押し付けてラチェットが解除され、渦巻ばねが弾性変形から復元して、リールの回転を駆動することにより、リールが入力装置本体に巻き取られる。【選択図】図２
2019501453.tif 000002
【特許請求の範囲】
【請求項１】
巻回可能フレキシブル入力装置であって、
ドラムと、リールと、前記リールに接続される入力装置本体と、駆動部とを含み、
前記駆動部は、渦巻ばねと、ラチェットと、規制素子と、駆動ボタンとを含み、
前記渦巻ばねは、前記リールに固定される第１端部と、前記ドラムに固定される第２端部と、を含み、
前記ラチェットは、前記リールに固定され、前記規制素子は、前記ドラムに固定され、前記駆動ボタンは、前記ドラムに取り付けられ、
前記入力装置本体が展開時に前記リールを回転駆動させることにより、前記ラチェットは前記規制素子と係合し、前記渦巻ばねが弾性変形し、
前記入力装置本体を巻き取る必要がある時、前記駆動ボタンが前記規制素子を押し付けて前記ラチェットが解除され、前記渦巻ばねが前記リールを回転駆動させるように弾性変形から復元することにより、前記リールが前記入力装置本体に巻き取られることを特徴とする、巻回可能フレキシブル入力装置。
【請求項２】
前記ラチェットは、複数のギア歯を含み、前記ギア歯のそれぞれは、停止面と、前記停止面に繋がるガイド斜面とを含み、
前記入力装置本体を展開する時、前記ガイド斜面は前記規制素子を前記停止面に当接させるように案内することを特徴とする、請求項１に記載の巻回可能フレキシブル入力装置。
【請求項３】
前記ドラムにおいて、セパレータによって隔離される第１キャビティ及び第２キャビティが形成され、前記ラチェットが前記第１キャビティに収容され、前記渦巻ばねが前記第２キャビティに収容されることを特徴とする、請求項１に記載の巻回可能フレキシブル入力装置。
【請求項４】
前記セパレータは、互いに分離可能な第１縦板と第２縦板とを突き合わせることにより形成され、前記第１縦板と前記第２縦板とが突き合わされた位置に、前記ラチェットを通過させる開口が形成されることを特徴とする、請求項３に記載の巻回可能フレキシブル入力装置。
【請求項５】
前記第２キャビティにおいて、互いに分離可能な第１ボスと第２ボスとが形成され、前記渦巻ばねの前記第２端部が、前記第１ボスと前記第２ボスとの間に挟持されることを特徴とする、請求項３に記載の巻回可能フレキシブル入力装置。
【請求項６】
前記リールは、前記第２キャビティに収容される回転体をさらに含み、前記渦巻ばねは、前記回転体の側面に嵌められ、前記ラチェットは、前記回転体の端面に固定されることを特徴とする、請求項３に記載の巻回可能フレキシブル入力装置。
【請求項７】
前記渦巻ばねの前記第１端部は、前記回転体に挿着されることを特徴とする、請求項６に記載の巻回可能フレキシブル入力装置。
【請求項８】
前記リールは、前記入力装置本体を収容する収容キャビティをさらに含み、前記収容キャビティは、互いに突き合わされた第１端板および第２端板によって前記第２キャビティと離間していることを特徴とする、請求項３に記載の巻回可能フレキシブル入力装置。
【請求項９】
前記規制素子は、固定端と、前記固定端に対向する自由端とを含み、前記固定端は前記ドラムに固定され、前記自由端は前記第２キャビティに自由に設けられることを特徴とする、請求項３に記載の巻回可能フレキシブル入力装置。
【請求項１０】
前記規制素子は、前記ラチェットの端面と垂直なパッドであることを特徴とする、請求項９に記載の巻回可能フレキシブル入力装置。
【請求項１１】
前記ドラムは外側端板をさらに含み、前記第１キャビティが前記外側端板と前記セパレータとの間に位置し、前記駆動ボタンが前記外側端板に挿着されることを特徴とする、請求項３に記載の巻回可能フレキシブル入力装置。
【請求項１２】
前記駆動ボタンは、押し板と、前記押し板から突出する当接体とを含み、前記当接体は、前記規制素子に当接するための斜面を有することを特徴とする、請求項１１に記載の巻回可能フレキシブル入力装置。
【請求項１３】
前記駆動ボタンは、前記押し板から突出し、前記外側端板に挟持されるスナップをさらに含むことを特徴とする、請求項１２に記載の巻回可能フレキシブル入力装置。
【請求項１４】
前記駆動ボタンは、前記押し板から突出して前記外側端板を挿入する支持ポストをさらに含み、前記支持ポストはばねに嵌められ、ばねは前記押し板と前記外側端板との間に挟まれることを特徴とする、請求項１２に記載の巻回可能フレキシブル入力装置。
【発明の詳細な説明】
【技術分野】
【０００１】
本発明は電気通信分野に関し、特に、巻回可能フレキシブル入力装置に関する。
【背景技術】
【０００２】
携帯電話、ポケットコンピュータ、ラップトップなどの電子デバイスは、生活で広く使用されている。ユーザは、通常、タッチスクリーンまたは外部キーボードを介して電子デバイスを操作する。先端技術の発展に伴い、電子機器の携帯性及び多様性に対する消費者の要求がますます高まっており、例えば、携帯性を高めるために電子機器の体積を減らし、操作性を向上させるためのタッチスクリーンを提供している。しかし、簡単な操作を目的として外付けのキーボードを追加すると、ユーザの負担が増えることは明らかである。これに対して、従来技術ではフレキシブルなキーボードが設けられており、これを巻いてドラムに収納され得るため、容易に収納および携帯することができる。しかしながら、従来の巻き取り可能なキーボードは、展開及び巻き取りの際に不便であり、特に巻き取るときに、キーボードを手で巻き取る必要があり、ユーザに不便を感じさせる。
【発明の概要】
【０００３】
本発明の実施形態は、駆動部によりリールの駆動及び規制を実現可能な巻回可能フレキシブル入力装置を提供する。
【０００４】
本発明による巻回可能フレキシブル入力装置は、ドラムと、リールと、前記リールに接続される入力装置本体と、駆動部とを含む。前記駆動部は、渦巻ばねと、ラチェットと、規制素子と、駆動ボタンとを含む。前記渦巻ばねは、前記リールに固定される第１端部と、前記ドラムに固定される第２端部と、を含む。前記ラチェットは、前記リールに固定され、前記規制素子は、前記ドラムに固定され、前記駆動ボタンは、前記ドラムに取り付けられる。前記入力装置本体が展開する時に前記リールを回転駆動させることにより、前記ラチェットは前記規制素子と係合し、前記渦巻ばねが弾性変形し、前記入力装置本体を巻き取る必要がある時、前記駆動ボタンが前記規制素子を押し付けて前記ラチェットが解除され、前記渦巻ばねが前記リールを回転駆動させるように弾性変形から復元することにより、前記リールが前記入力装置本体に巻き取られる。
【０００５】
ここで、前記ラチェットは、複数のギア歯を含む。前記ギア歯のそれぞれは、停止面と、前記停止面に繋がるガイド斜面とを含む。前記入力装置本体を展開する時、前記ガイド斜面は前記規制素子を前記停止面に当接させるように案内する。
【０００６】
ここで、前記ドラムにおいて、セパレータによって隔離される第１キャビティ及び第２キャビティが形成され、前記ラチェットが前記第１キャビティに収容され、前記渦巻ばねが前記第２キャビティに収容される。
【０００７】
ここで、前記セパレータは、互いに分離可能な第１縦板と第２縦板とを突き合わせることにより形成され、前記第１縦板と前記第２縦板とが突き合わされた位置に、前記ラチェットが通過する開口が形成される。
【０００８】
ここで、前記第２キャビティにおいて、互いに分離可能な第１ボスと第２ボスとが形成され、前記渦巻ばねの前記第２端部が、前記第１ボスと前記第２ボスとの間に挟持される。
【０００９】
ここで、前記リールは、前記第２キャビティに収容される回転体をさらに含み、前記渦巻ばねは、前記回転体の側面に嵌められ、前記ラチェットは、前記回転体の端面に固定される。
ここで、前記渦巻ばねの前記第１端部は、前記回転体に挿着される。
【００１０】
ここで、前記リールは、前記入力装置本体を収容する収容キャビティをさらに含み、前記収容キャビティは、互いに突き合わされた第１端板および第２端板によって、前記第２キャビティと離間している。
【００１１】
ここで、前記規制素子は、固定端と、前記固定端に対向する自由端とを含み、前記固定端は前記ドラムに固定され、前記自由端は前記第２キャビティに自由に設けられる。
ここで、前記規制素子は、前記ラチェットの端面と垂直なパッドである。
【００１２】
ここで、前記ドラムは外側端板をさらに含み、前記第１キャビティが前記外側端板と前記セパレータとの間に位置し、前記駆動ボタンが前記外側端板に挿着される。
ここで、前記駆動ボタンは、押し板と、前記押し板から突出する当接体とを含み、前記当接体は、前記規制素子に当接するための斜面を有する。
ここで、前記駆動ボタンは、前記押し板から突出し、前記外側端板に挟持されるスナップをさらに含む。
【００１３】
ここで、前記駆動ボタンは、前記押し板から突出して前記外側端板を挿入する支持ポストをさらに含み、前記支持ポストには、前記押し板と前記外側端板との間に挟まれるばねが嵌められる。
【００１４】
以上のように、本発明の巻回可能フレキシブル入力装置の駆動部は、ラチェット及び規制パッドのみで、リールの巻き取り、ボタン本体の釈放、およびリールへのロックを実現することができ、構造が単純であり、ドラムのスペースを節約し、操作を容易にする。
【００１５】
本発明または従来技術の実施形態の技術的手段をより明確に説明するために、実施形態の説明で使用される添付図面を簡単に説明する。明らかに、以下に記載する添付の図面は、本発明のいくつかの実施形態のためのものに過ぎず、当業者は、創造的な努力なしにこれらの添付図面に従って他の添付図面を得ることができる。
【図面の簡単な説明】
【００１６】
【図１】本発明による巻回可能フレキシブル入力装置の斜視模式図であり、ドラムに電子装置が設けられる。
【図２】図１に示す巻回可能フレキシブル入力装置の分解模式図である。
【図３】図２に示す巻回可能フレキシブル入力装置の第１ハウジングの構造模式図である。
【図４】図３に示す巻回可能フレキシブル入力装置の第１ハウジングの部分的な構造の拡大模式図である。
【図５】図２に示す巻回可能フレキシブル入力装置の第２ハウジングの構造模式図である。
【図６】図２に示す巻回可能フレキシブル入力装置の第１軸体、第２軸体及び入力装置本体の分解模式図である。
【図７】図１に示す巻回可能フレキシブル入力装置の部分的な構造の模式図である。
【図８】図２に示す巻回可能フレキシブル入力装置の駆動部の部分的に組み立てられる模式図である。
【図９】図７に示す駆動部の異なる断面位置に沿った断面模式図である。
【図１０】図７に示す駆動部の異なる断面線に沿った断面模式図である。
【図１１】図２に示す巻回可能フレキシブル入力装置の端部カバーおよび第２スピーカの分解模式図である。
【図１２】図７に示す駆動部の他の角度から見る模式図である。
【発明を実施するための形態】
【００１７】
以下、本発明の実施形態の図面を参照して、本発明の実施形態における技術手段について、明確かつ完全に説明する。
本発明は、巻回可能フレキシブル入力装置を提供する。本発明の実施形態に係る巻回可能フレキシブル入力装置は、携帯電話、タブレットコンピュータ、ポケットコンピュータ、パーソナルデジタルアシスタント（ＰＤＡ）、電子リーダーなどのように構成されるが、これらに限定されない。本発明の実施形態は、これについて具体的に限定されない。
【００１８】
図１〜図４を参照すると、本実施形態において、上記巻回可能フレキシブル入力装置は、ドラム１０と、リール２０と、上記リール２０に接続される入力装置本体３０と、上記リール２０に接続される駆動部（図示せず）と、電池５０と、回路基板６０とを含み、上記ドラム１０に、スピーカ７０、８０（図７及び図９を参照）と、タッチスイッチ部品９０とが設けられる。入力装置本体３０は、フレキシブルキーボードまたはフレキシブル筆記パッドであってもよい。上記電池５０および回路基板６０は、上記リール２０内に収容される。上記リール２０及び駆動部は、上記ドラム１０内に収容される。上記駆動部は、上記リール２０を回転させて、上記入力装置本体３０を上記リール２０に巻き取り、または、リール２０から巻き出す。上記入力装置本体３０の一端がドラム１０から露出されることにより、上記入力装置本体３０がドラム１０から引き伸ばされて出される。上記電池５０は、回路基板６０に電気的に接続される。上記入力装置本体３０は、上記回路基板６０に電気的に接続される。上記スピーカ７０、８０のそれぞれは、上記ドラム１０の両端に位置し、上記巻回可能フレキシブル入力装置を使う電子装置を再生するように構成される。本発明による上記入力装置本体３０は、フレキシブル巻回可能のフレキシブルキーボードである。
【００１９】
図２を参照すると、本実施形態において、上記ドラム１０は、中空円筒本体（図示せず）と、外側端板１５と、端部カバー１７とを含む。上記本体は、第１ハウジング１１と、第１ハウジング１１と対称な構造を呈する第２ハウジング１３とを含む。上記ドラム１０は、第１ハウジング１１と、第１ハウジング１１に対向して設けられる第２ハウジング１３と、を含むことも理解できる。上記第１ハウジング１１及び上記第２ハウジング１３は、上記ドラム１０が軸線に沿って分割することによって形成される。本実施形態において、第１ハウジング１１は、ドラム１０の上半部を構成するが、第２ハウジング１３は、ドラム１０の下半部を構成する。上記第１ハウジング１１は、第一端部１１１１及び第二端部１１１２を有する。第１ハウジング１１は、半円形を呈する断面を有する円弧面１１１と、互いに対向する２つの第１端板１１２、１１３とを含む。上記第１端部１１１１および第２端部１１１２は、上記第１ハウジング１１における、軸線上にある２つの端部である。上記第１端板１１２と第１端板１１３とは、上記円弧面１１１上に互いに対向して設けられ、上記第１端板１１２、１１３と、上記第１端板１１２と第１端板１１３との間にある上記円弧面１１１とは、第１溝１１４を形成し、上記第１端板１１２および第１端板１１３は、第１溝１１４の溝壁である。上記第１端板１１２は、断面が半円形状の薄板であり、上記円弧面１１１の上記第１端部１１１１に近い位置に設けられる。上記第１端板１１２と第１端部１１１１との間の円弧面１１１に、第１縦板１１８（図４に示すように）がさらに設けられる。上記第１縦板１１８と上記第１端部１１１１との間に第１端部溝１１６が形成され、上記第１縦板１１８と上記第１端板１１２との間に、第２溝１１７が形成される。上記第１端板１１３は、上記第２端部１１１２に設けられ、第２端部１１１２を閉じる。
【００２０】
図５を参照すると、上記第２ハウジング１３は、第３端部１３１１と、第４端部１３３２と、半円形を呈する断面を有する円弧面１３１と、互いに対向する２つの第２端板１３２、１３３とを含む。上記第３端部１３１１および第４端部１３３２は、上記第２ハウジング１３における、軸線上にある２つの端部である。上記第２端板１３２と第１端板１３３とは、円弧面１３１に互いに対向して設けられ、上記第２端板１３２、１３３と、上記第２端板１３２と第２端板１３３との間にある上記円弧面１３１とは、第３溝１３４を形成する。上記第２端板１３２は、断面が半円形状の薄板であり、上記円弧面１３１の上記第３端部１３１１に近い位置に設けられる。上記第２端板１３２と第３端部１３１１との間の円弧面１３１に、第２縦板１３８がさらに設けられる。上記第２縦板１３８と第３端部１３１１との間に第２端部溝１３６が形成され、上記第２縦板１３８と第２端板１３２との間に、第４溝１３７が形成される。上記第２端板１３３は、上記第４端部１３３２に設けられ、第４端部１３３２を閉じる。本発明において、上記第１ハウジング１１は上記第２ハウジング１３に係合され、上記第１溝１１４は、収容キャビティを形成するために上記第３溝１３４に突き合わされる。上記第２溝１１７は、第２キャビティを形成するために上記第４溝１３７に突き合わされ、上記第１溝１１６は、第１キャビティを形成するために上記第２端部溝１３６に突き合わされ、上記第１端部１１１１は、端口（図示せず）を形成するために上記第３端部１３１１に突き合わされる。上記第１キャビティは、上記ドラム１０の一端に位置し、上記端口を介して外部と貫通している。上記外側端板１５は、上記端口に覆われ、上記第１キャビティを閉じる。上記収容キャビティ、第２キャビティ及び第１キャビティは、ドラム１０の軸線に沿って順に設けられる。
【００２１】
さらに、上記第１端板１１２および上記第１端板１１３の両方には、ノッチ１１９が設けられ、上記第２端板１３２および上記第２端板１３３の両方には、ノッチ１３９が設けられる。上記第１ハウジング１１と同軸の半円形管体１１５は、第１端板１１３のノッチ１１９の周縁に沿って外側に突出している。上記第２ハウジング１３と同軸の半円形管体１３５は、第２端板１３３のノッチ１３９に近い周縁に沿って外側に突出している。上記第１ハウジング１１は上記第２ハウジング１３と係合する時、軸孔を形成するために２つの上記第１端板１１２、１１３のそれぞれが２つの上記第２端板１３２、１３３に突き合わされ、第１端板１１２、１１３のそれぞれのノッチ１１９がそれに対応する第２端板１３２、１３３のノッチ１１９と突き合わされる。即ち、上記第１端板１１２が第２端板１３２と突き合わされるとノッチ１１９とノッチ１３９とが１つの軸孔を形成し、上記第１端板１１３が第２端板１３３と突き合わされるとノッチ１１９とノッチ１３９とがもう１つの軸孔を形成する。同時に、上記半円形管体１１５と上記半円形管体１３５とが突出管１４を形成する（図６を参照）。上記突出管１４は、上記ドラム１０の一端から突出する。２つの上記軸孔は両方も上記収容キャビティと貫通する。上記リール２０は上記収容キャビティ内に収容され、２つの対向する端部が転動可能に２つの上記軸孔内に設置される。上記第１端板１１３は、上記ドラム１０の主板端を形成するために第２端板１３３に突き合わされる。上記主板端および端口は、それぞれ上記本体、すなわち上記ドラム１０の２つの対向する端部を構成する。上記外側端板１５は上記端口を覆い、上記端部カバー１７は、上記主板端に近接する。
【００２２】
図２〜図５を再度参照すると、２つの上記第１端板１１２、１１３の一つの第１端板１１２に近くに挟持部が設けられ、上記第１ハウジング１１のもう一つの第１端板１１３の外側に挟持部が設けられる。２つの上記第２端板１３２、１３３における、上記第１端板１１２、１１３の挟持部に対向する、スナップ部が設けられる。上記挟持部は、スナップ、位置決めポスト、挟持溝、または位置決め孔である。上記スナップ部は、上記挟持部と合わせる、スナップ、位置決めポスト、挟持溝、または位置決め孔である。図２及び図３を参照すると、具体的には、本実施形態において、上記円弧面１１１と同じ向きの第１端板１１３の半円形管体１１５の面は、２つの挟持溝１１３２が設けられる。それに対向する第２端板１３３の半円形管体１３５に、挟持溝１１３２と挟持される２つのスナップ１３３４が設けられる。上記第１ハウジング１１の円弧面１１１における、第１端板１１２に近い外側の第１縦板１１８の近くにスナップ１１１３が設けられる。上記第１ハウジング１１における、第１端部１１１１に近い側辺に位置決めポスト１１３３が設けられる。対応する上記第２ハウジング１３における、第２端板１３２の外側の第２縦板１３８に挟持突起１３１３が設けられる。上記第２ハウジング１１における、第３端部１３１１に隣接する側辺に位置決め孔１３３３が設けられる。第１ハウジング１１のスナップ１１１３は、第２ハウジング１３の挟持突起１３１３と挟持し、第１ハウジング１１の挟持溝１１３２は第２ハウジング１３のスナップ１３３４とスナップし、第１ハウジング１１の位置決めポスト１１３３は第２ハウジング１３の位置決め孔１３３３に挿入され、その結果、第１ハウジング１１と第２ハウジング１３との間におけるスナップを実現する。他の実施形態において、上記挟持部が２つの上記第２端板１３２、１３３に設けられ得、上記スナップ部が２つの上記第１端板１１２、１１３に設けられ得、第１ハウジング１１と第２ハウジング１３との間の挟持固定を実現できるものであればよい。
【００２３】
本発明によると、上記第１ハウジング１１及び上記第２ハウジング１３は、上記ドラム１０を形成するために突き合わされる。上記挟持部とスナップ部とを挟持固定することによって、ドラム１０におけるリール２０、入力装置本体３０等の素子を組み立てることが便利であるだけでなく、ドラム１０、リール２０、入力装置本体３０の交換や修理を容易に行うことができ、基本的に、ドラム１０内の他の素子を取り外す必要がなく、他の素子の位置の正確さを保証することができ、分解時間を節約し、分解困難性を低減することができる。
【００２４】
さらに、上記第１ハウジング１１または上記第２ハウジング１３は、軸方向に沿って隙間を設ける。また、上記第１ハウジング１１または第２ハウジング１３の上記収容キャビティから離れる面は、設置溝１３８を設ける。本実施形態において、図３に示すように、上記隙間１６は、上記第１ハウジング１１に設けられ、収容キャビティを貫通する。上記入力装置本体３０は、上記隙間１６を介して上記ドラム１０から外側に延出する。
【００２５】
実施形態において、上記設置溝１３８の内側壁には、フレキシブル当接突起１３４とコネクタプラグ（図示せず）とが設けられる。上記設置溝１３８は、電子装置に対して入力装置本体３０を操作することを容易にするために、電子装置２００を接続し、固定するように構成される。上記フレキシブル当接突起１３４は、上記電子装置２０を位置決めするように構成される。設置溝１３８にもコネクタプラグ１３６が設けられる。上記コネクタプラグ１３６は、上記電子装置２００に接続され得、上記回路基板に接続され得るため、上記ドラム１０におけるスピーカ７０、８０によって外部へ音を再生する。電池５０によって電子装置２００に充電する。
【００２６】
図２及び図６を参照すると、上記リール２０は、それの軸に沿って分割される第１軸体２１と第２軸体２３とを含む。リール２０は、リール２０の対向する両端に位置する端板２５と、上記端板２５から突出して設けられる回転軸２６とをさらに含む。上記リール２０は中空の管体である。第１軸体２１及び第２軸体２３の断面は、半円形の構造である。上記第１軸体２１は、第１収納溝２１１を含み、上記第２軸体２３は、第２収納溝２３１を含む。上記第１収納溝２１１の溝内壁（図示せず）は、円弧面であり、そこから突出するセパレータ２１３が設けられる。上記第１収納溝２１１と上記第２収納溝２３１とを係合してキャビティが形成される。上記セパレータ２１３は上記キャビティが電池キャビティ２２と回路基板キャビティ２４に分割される。理解しやすいために、図面において、電池キャビティ２２および回路基板キャビティ２４の参照符号の参照線は、第１軸体２１のキャビティの一部を指す。上記電池５０は、上記電池キャビティ２２内に配置され、上記回路基板６０は、回路基板キャビティ２４内に配置される。上記電池５０は、回路基板６０に電気的に接続され、上記入力装置本体３０に電力を供給する。本実施形態において、第２収納溝２３１に、上記セパレータ２１３に対向してセパレータ（図示せず）がさらに設けられ、上記セパレータ２１３は、第２収納溝２３１におけるセパレータに突き合わされて上記電池キャビティ２２と回路基板キャビティ２４とが分けられる。さらに、２つの上記端板２５は、上記第１収納溝２１１の両端にそれぞれ配置され、上記キャビティの両端を閉じる。上記回転軸２６は、上記端板２５の外側に位置し、上記リール２０は、上記回転軸２６を介して上記ドラム１０の軸孔に転動可能に設置される。２つの上記端板２５、回転軸２６及び上記セパレータ２１３には、いずれも上記第１収納溝２１１に連通する配線孔（図示せず）が設けられる。
【００２７】
本発明の巻回可能フレキシブル入力装置は、リール２０が、取り外し可能な構造として設計され、電池５０は、上記リール２０のキャビティ内に設置されることで、電池５０を収納する構造をさらに追加する必要とせず、全体構造がコンパクトになり、巻回可能フレキシブル入力装置の全体的な体積が小さくなり、容易に携帯することができる。また、回路基板６０は、リール２０内に設置されるため、さらに全体的な体積を縮減することができる。
【００２８】
また、上記電池キャビティ２２内に位置する上記第１収納溝２１１の溝内壁に、第１突出リブ２１４と第２突出リブ２１５とが設けられる。上記第１突出リブ２１４及び第２突出リブ２１５は、上記溝内壁の対向する両側に位置する。また、上記第１突出リブ２１４は第２突出リブ２１５と共に、上記電池５０を支持して挟持する。具体的には、上記第１突出リブ２１４及び第２突出リブ２１５は、溝内壁の軸線で分割される溝内壁の対向する両側に位置する。上記第１突出リブ２１４及び第２突出リブ２１５の電池５０に面する表面は円弧面であるので、電池５０の表面との嵌合を容易にし、挟持がより安定する。上記回路基板キャビティ２４内に位置する上記第１収納溝２１１の溝内壁から第１収納溝２１１と垂直な軸線方向に向かって突出して垂直ポスト２１７が設けられる。上記垂直ポスト２１７に、ねじ孔が設けられる。上記垂直ポスト２１７は、上記回路基板６０を支持し、回路基板６０を通過させたボルト（図示せず）を通じて上記ねじ孔に締結される。具体的に、上記回路基板６０には、上記ねじ孔に対応してボルトを貫通するための貫通孔が設けられる。上記電池キャビティ２２に位置する上記第２収納溝２３１の溝内壁にも、上記第１突出リブ２１４及び第２突出リブ２１５に対応する突出リブ（図示せず）が設けられ得、上記突出リブは、上記第１突出リブ２１４及び第２突出リブ２１５と共に上記電池５０を挟持することにより、電池の安定性を高めることを理解できる。
【００２９】
また、上記第１軸体２１において、上記第２軸体２３に向かって延びる位置決め孔が設けられる。上記第２軸体２３において、上記位置決め孔に対応して位置決めポストが設けられる。上記第１軸体２１と上記第２軸体２３とを係合し、上記位置決めポストが上記位置決め孔内に挟持されることにより、第１軸体２１が第２軸体２３上に固定される。具体的には、上記第１収納溝２１１に２つの端壁２１１１が設けられる。２つの上記端壁２１１１のそれぞれは、２つの上記端板２５に隣接して設けられる。２つの端壁２１１１に、上記第２収納溝２３１に向かって位置決め孔２１１２が設けられる。上記第２収納溝２３１に２つの端壁２３１１が設けられる。上記２つの端壁２３１１の、上記位置決め孔２１１２に対応する位置において、位置決めポスト（図示せず）が設けられる。上記第１軸体２１と上記第２軸体２３とを係合し、上記第２収納溝２３１の端壁２３１１が上記第１収納溝２１１の端壁２１１１に突き合わされ、上記位置決め孔２１１２内に上記位置決めポストが挟持されることにより、第１軸体２１１が第２軸体２３１と固定される。
【００３０】
また、上記第１軸体２１はいくつかの挟持溝２１６を設ける。本実施形態における挟持溝２１６は、上記第１収納溝２１１を貫通する。上記挟持溝２１６は、上記第２軸体２３に設けられ得ることを理解できる。上記入力装置本体３０の一端に接続板３２が設けられる。上記接続板３２に上記挟持溝２１６に対向してフック３４が設けられ、上記接続板３２は挟持溝２１６とフック３４との挟持を介してリール２０と固定される。上記入力装置本体３０の他端に停止位置３１が設けられる。上記入力装置本体３０が上記リール２０に巻き取られて上記ドラム１０に収容される時、上記停止位置３１は、上記隙間１６の外側に位置し、上記ドラム１０と当接する。入力装置本体３０がリール２０に巻き取られる時、上記停止位置３１がドラム１０と当接して、入力装置本体３０がドラム１０の収容キャビティに完全に引き込まれることを避ける。入力装置本体３０を使用する必要がある場合、停止位置３１を把持して入力装置本体３０を伸ばしやすい。
【００３１】
図７を参照すると、さらに、上記ドラム１０は規制リング１８を含む。規制リング１８は、光を通す材料からなるリング状のブロックである。上記規制リング１８は、上記突出管１４に嵌められ、突出管１４に挟持して固定される。上記端部カバー１７は上記規制リング１８に挟持して固定される。本実施形態において、規制リング１８と突出管１４とは、互いに位置決めされる位置決め構造を形成する。本実施形態において、上記位置決め構造は、突出管１４の外側に設けられる凹溝１４１と、上記規制リング１８の内側環状壁に設けられ、上記凹溝１４１に対応する突起１８１とを含む。上記突起１８１が上記凹溝１４１に挟持されることにより、上記規制リング１８がドラム１０に位置決めされる。上記規制リング１８が上記ドラム１０の一端に嵌められることは、第１ハウジング１１を第２ハウジング１３にさらに固定し、安定性を保証する。上記端部カバー１７は、底板１７１と、底板１７１の周縁に位置する円周板１７２とを含む。上記円周板１７２の内側に挟持凹部１７３（図１１を参照）が設けられ、上記規制リング１８の一端面に上記挟持凹部１７３に対応する挟持突起１８２が設けられる。上記挟持突起１８２は、上記挟持凹部１７３に挟持されることにより、端部カバー１７がドラム１０に固定される。上記凹溝１４１は上記規制リング１８の内側環状壁に設けられ、上記突起１８１は上記突出管１４の外側に設けられ得ることを理解できる。挟持突起１８２は、上記端部カバー１７の円周板１７２に設けられ得、上記挟持凹部１７３は、上記規制リング１８の端面に設けられ得ることを理解できる。本実施形態において、規制リング１８の一側は、接着剤を介してドラム１０の側面に接着することにより、規制リング１８とドラム１０との固定を実現する。全体的な設置及び取り外しを容易にするために、規制リング１８にもドラム１０に向かってスナップ構造が形成され得、ドラム１０にも対応する挟持構造が形成され得、スナップ構造と挟持構造との係合を介して、規制リング１８とドラム１０との間の固定を実現することを理解できる。規制リング１８は、より良好な触感フィードバックを提供するように、弾性材料からなることが好ましい。
【００３２】
図２、図８〜図１０を参照すると、さらに、本発明による上記駆動部は、渦巻ばね４１、ラチェット４２、規制素子および駆動ボタン４５を含む。本実施形態において、規制素子は、ラチェット４２の端面と垂直な規制パッド４３である。それに対して、上記渦巻ばね４１を位置決めするために、上記リール２０の一端面の回転軸２６に、リール２０と同軸の回転体２９が固定される。上記回転体２９は、上記第２キャビティ内に位置し、その外周縁に第１挟持位置２９１が設けられ、上記第２キャビティの内壁に第２挟持位置２９２が設けられる。本実施形態において、上記第２溝１１７の内表面に、第１ボス１１７１が設けられ、上記第４溝１３７の内表面に、第２ボスが設けられる。上記第１ボス１１７１は挟持隙間を形成するために上記第２ボスに突き合わされる。上記挟持隙間は、上記第２挟持位置２９２である。
【００３３】
上記渦巻ばね４１は、第１端部４１１及び第２端部４１２を含む。上記渦巻ばね４１は、上記回転体２９に嵌められる。上記第１端部４１１は上記第１挟持位置２９１に挟持され、上記第２端部４１２は上記第２挟持位置２９２に挟持される。上記ラチェット４２は、上記回転体２９の端面に固定され、上記回転体２９と同軸である。また、上記ラチェット４２は、上記第１キャビティ内に収容される。上記ラチェット４２は、複数のギア歯４２１を含む。上記規制パッド４３は、上記第１キャビティ内に突出して設けられる。上記規制パッド４３は、リール２０をロックするために上記ギア歯４２１に当接するように構成される。
【００３４】
図１２を参照すると、上記駆動ボタン４５は、押し板４５１と、押し板４５１の一表面に設けられる規制スナップ４５２と、ばね４５３と、当接体４５４とを含む。上記外側端板１５に、規制挟持溝１５５及び貫通孔１５６が設けられ、上記規制スナップ４５２が上記規制挟持溝１５５に挟持される。上記駆動ボタン４５は、押し板４５１からラチェット４２に向かって伸びる支柱４５５を含む。上記駆動ボタン４５は、上記ドラム１０の端部に設けられる。上記ばね４５３は、支柱４５５に嵌められるように設けられ、上記押し板４５１と上記外側端板１５との間に当接している。上記当接体４５４は、上記貫通孔１５６及び上記第１キャビティを貫通し、上記規制パッド４３に当接する。上記当接体４５４は上記規制パッド４３に当接して上記規制パッド４３を押圧すると、上記規制パッド４３が上記ギア歯４２１から離れる方向に傾いてラチェット４２が解除される。図５及び図８を参照すると、本実施形態において、上記第１縦板１１８に開口が設けられ、上記規制パッド４３は、上記第１ハウジング１１の第１端部溝１１６内に設けられ、上記第１縦板１１８に隣接する。上記規制パッド４３の開口に位置する側は、上記ラチェット４２のギア歯４２１に向かう。本実施形態において、上記当接体４５４の端部は当接斜面を設ける。上記当接斜面は上記規制パッド４３に当接し、上記規制パッド４３を容易に押すことができる。当接斜面は規制パッド４３に当接する時、当接斜面が規制パッド４３を押して外側に向かって変形するため、規制パッド４３をラチェット４２から分離させる。
【００３５】
本実施形態において、上記渦巻ばね４１の第１端部４１１は渦巻ばね４１の外周に位置し、上記第２端部４１２は渦巻ばね４１の内輪に位置する。上記回転体２９はリール２０と同軸の円盤であり、上記回転体２９は上記リール２０の一方の回転軸２６に嵌められて上記回転軸２６に固定される。上記ラチェット４２は、軸線と垂直な側面を有し、ラチェット４２の側面は、上記回転体２９の端面に貼られ、上記リール２０と同軸である。上記ラチェット４２のギア歯４２１は、ラチェット４２の軸線に対して同方向に傾斜した傾斜歯である。本実施形態において、ギア歯４２１は、時計回りに傾斜している。各ギア歯４２１は、停止面４２２と、停止面４２２に角度的に接続されるガイド斜面４２３とを含む。上記規制パッド４３は、プラスチック材料からなって、弾力性を有する。規制パッド４３は、垂直に上向きに延びており、ラチェット４２に近接した垂直な側面と水平な上面とを有する。入力装置本体３０が引っ張られる時、入力装置本体３０の駆動によってリール２０が反時計回りに沿って回転され、ラチェット４２がリール２０の駆動によって反時計回りに共に回転される。ラチェット４２を反時計回りに回転させる時、各ガイド斜面４２３が規制パッド４３の垂直側面に１つずつ当接することにより、ラチェット４２の回転をガイドする。入力装置本体３０が引っ張ることを停止すると、ラチェット４２の停止面４２２が規制パッド４３の水平上面に当接することにより、ラチェット４２を規制する。また、入力装置本体３０を伸長させる過程において、渦巻ばね４１が伸長されるため、弾性反発力を発生させる。入力装置本体３０を巻き出す必要がある場合、駆動ボタン４５を介して上記規制パッド４３を押して傾斜させ、水平上面を上記停止面４２２から分離させてラチェット４２を解除する。渦巻ばね４１の弾性反発力の作用により、ラチェット４２及びリール２０が時計回りに回転するため、入力装置本体３０が自動的に巻き取られる。駆動ボタン４５の押圧が解除されると、上記規制パッド４３が復元し、規制パッド４３の水平上面がラチェット４２の停止面４２２に当接することを再びに介して、ラチェット４２を規制し、入力装置本体３０が巻き取られるのを防止する。このように、駆動ボタン４５を選択的に解除することにより、入力装置本体３０を任意の位置に引き伸ばすことができる。本実施形態において、上記停止面４２２はラチェット４２の半径方法に位置する。
【００３６】
本実施形態において、上記入力装置本体３０が上記リール２０から巻き出されると、上記ラチェットが反時計回りに回転し、上記渦巻ばね４１が弾性変形して弾性位置エネルギを蓄積する。上記リール２０が入力装置本体３０を巻き戻す回転方向は時計回りである。上記規制パッド４３は上記ギア歯４２１から解除され、上記渦巻ばね４１は弾性位置エネルギを解放して弾性力を発生させることにより、リール２０を回転させるため、上記入力装置本体３０を巻き戻す。また、リール２０に電池および回路基板が設置されているので、リール２０の重量が増加し、リバウンド時の渦巻ばね４１の反発力を減らし、リール２０の回転速度を減らし、上記入力装置本体３０の破損を防止することができる。本発明による上記駆動部は、ラチェット４２及び規制パッド４３のみで、リール２０の巻き取り、入力装置本体３０の巻き出し、リール２０に対するロックを実現することができ、それにより、単純な構造になり、ドラム１０のスペースを節約し、操作を容易にする。
【００３７】
リール２０の駆動のみを実現する場合、上記駆動部は駆動モータであってもよく、上記駆動部は上記ドラム１０の一端に位置して上記駆動ボタン４５と電気的に接続されることを理解できる。
【００３８】
図７を参照すると、本発明の上記スイッチ部品９０は、フレキシブルタッチパッド９１と、上記回路基板６０に電気的に接続される配線基板９２と、保護層９５と、上記配線基板９２の表面に設けられるスイッチ９３と、上記端部カバー１７に設けられるキー９４とを含む。上記フレキシブルタッチパッド９１は、上記ドラム１０におけるスピーカ７０、８０の音量の調節を実現するように構成される。例えば、指がフレキシブルタッチパッド９１に沿って上から下までスライドすると音量が小さくなり、指がフレキシブルタッチパッド９１を下から上までスライドすると音量が大きくなる。フレキシブルタッチパッド９１は、規制リング１８に単に貼り付けるだけで、両者の固定を実現することができ、単純な構造になり、スペースを節約し、操作を容易にする。また、スピーカ７０、８０以外に、本発明のフレキシブル入力装置は、照明光源およびプロジェクタなどの他の電子素子をさらに含むことができ、フレキシブルタッチパッド９１は、これらの電子素子を制御することもでき、例えば、照明光源の色、プロジェクタの明るさなどを調整することができる。
【００３９】
本実施形態において、上記フレキシブルタッチパッド９１は、円弧状のストリップ本体９１１と、本体９１１の一側に位置する接続部９１２とを含む。上記接続部９１２は、上記本体９１１の軸線方向に沿って延びる。上記本体９１１は、タッチ制御機能を実現するように構成されるタッチパッド機能領域である。配線基板９２は、端部カバー１７に収容され、回路基板６０に対して垂直に設けられる。上記配線基板９２に接続口９２１が設けられ、上記接続部９１２が上記接続口９２１に挿入されることにより、上記フレキシブルタッチパッド９１と上記配線基板９２とが電気的に接続される。好ましくは、接続部９１２はフレキシブル回路基板である。上記規制リング１８の端面に、軸方向に沿って突出する支持片１８３が設けられ、上記支持片１８３は、上記接続部９１２を支持するので、上記接続部９１２が湾曲および破損を防止するのに十分な強度を有する。フレキシブル回路基板は、本体９１１から離れる方向に延びて折り曲げられ、配線基板９２の接続口９２１に接続される。上記保護層９５は、透明な材料からなるリング体である。上記保護層９５は、上記規制リング１８に設置され、上記フレキシブルタッチパッド９１を覆う。上記フレキシブルタッチパッド９１は、上記規制リング１８の外側環状表面に取り付けられる。上記規制リング１８は、上記突出管１４に嵌って挟持される。上記配線基板９２は、上記端部カバー１７の内部に固定され、上記フレキシブルタッチパッド９１に電気的に接続される。端部カバー１７が規制リング１８に配列して固定されるように、規制リングの挟持突起１８２は、端部カバーの挟持凹部１７３に挟持される。
【００４０】
本実施形態において、ユーザがフレキシブルタッチパッド９１の位置を便利かつ迅速に見つけ出し、フレキシブルタッチパッド９１に対する操作を保証するために、上記保護層９５にインジケータが設けられる。上記インジケータは、上記フレキシブルタッチパッド９１に対向する。上記配線基板９２には、さらに、端部カバー１７および規制リング１８に向かう表示灯９２３が設けられる。すなわち、配線基板９２の二つの対向する表面にそれぞれに表示灯９２３が設けられる。配線基板９２における、リール２０に向かう側の表示灯９２３は、側面型の照明用ＬＥＤであり、その発光される光線は、規制リング１８、フレキシブルタッチパッド９１、保護層９５を順に通過する。配線基板９２における、キー９４に向かう側の表示灯９２３は、直下型の照明用ＬＥＤであり、その発光される光線は、端部カバー１７とキー９４の穿孔を通過する。それにより、フレキシブルタッチパッド９１及びキー９４への照明が実現され、ユーザは、フレキシブルタッチパッド９１及びキー９４にある位置を便利かつ迅速に見つけ出して操作することができる。
【００４１】
図１２を参照すると、上記キー９４は内面と押圧面９４１とを有する。上記キー９４は上記端部カバー１７に配置され、上記内面は上記端部カバー１７の底板１７１に向き合う。上記内面に、押圧ポスト９４２と、規制フック９４３と、ガイドポスト９４４とが設けられる。上記端部カバー１７における、上記キー９４に対応する位置に底板１７１に、貫通孔１７４、規制挟持溝１７６、および誘導孔１７９が設けられる。上記押圧ポスト９４２が貫通孔１７４を通過して上記スイッチ９３に当接し、上記ガイドポスト９４４が上記誘導孔１７９に挿入され、上記規制フック９４３が上記規制挟持溝１７６内に挟持される。キー９４のガイドポスト９４４を押すことにより、スイッチ９３が押されて始動され、上記巻回可能フレキシブル入力装置の起動を実現する。すなわち、上記スイッチ９３は巻回可能フレキシブル入力装置のマスタースイッチである。
【００４２】
さらに、上記端部カバー１７は貫通溝をさらに設ける。上記配線基板９２は、ＵＳＢインタフェース（図示せず）をさらに設ける。上記ＵＳＢインタフェースは、貫通溝と対向して連通する。上記巻回可能フレキシブル入力装置は、上記ＵＳＢインタフェースを介して充電することができる。
【００４３】
図８及び図１１を参照すると、本発明の上記スピーカ７０、８０は、第１スピーカ７０および第２スピーカ８０を含む。上記第１スピーカ７０および第２スピーカ８０は、上記回路基板６０および上記第１ハウジングの設置溝１３８のコネクタプラグに電気的に接続される。上記外側端板１５に、第１音孔ゾーン１５２が設けられる。上記第１ハウジング１１は、上記第１スピーカ７０を収容するための第１キャビティ（図示せず）を設ける。上記第１キャビティは、上記第１ハウジング１１の上記外側端板１５に隣接する位置にあり、上記外側端板１５によって閉じられる。上記第１音孔ゾーン１５２は、上記第１キャビティと連通する。上記第１スピーカ７０は、上記第１キャビティ内に収容され、第１音孔ゾーン１５２に向けられた音響位置であるので、上記第１スピーカ７０からの音を増幅するのに有利である。
【００４４】
本実施形態において、上記第１ハウジング１１は、端口の位置において第１開口溝１２１を有し、第１開口溝１２１が、上記第１キャビティの第１端部溝１１６内に位置する。また、上記第１開口溝１２１および上記第１端部溝１１６は、溝壁、すなわち上記第１縦板１１８を共通に有する。第１ハウジング１１に、第１縦板１１８に接続される垂直な間隔板１１１５がさらに設けられる。間隔板１１１５の一端が第１縦板１１８と垂直であり、間隔板１１１５の他端が外側端板１５と垂直である。また、間隔板１１１５は、第１縦板１１８および外側端板１５に接続される。間隔板、第１縦板１１８、外側端板１５、および円弧面１１１は、第１キャビティの下部、すなわち第１開口溝１２１を形成する。それに対して、上記第２ハウジング１３は、上記端口の位置に第２開口溝１２２を設け、第２開口溝１２２が、上記第１キャビティの第２端部溝１３６内に位置する。第２開口溝１２２および第２端部溝１３６は、溝壁、すなわち上記第２縦板１３８を共通に有する。第２ハウジングに、第２縦板１３８に垂直に接続される間隔板１３１５がさらに形成される。間隔板１３１５、第２縦板１３８、および円弧面１３１は、第１キャビティの上部、すなわち第２開口溝１２２を形成し、第２開口溝１２２は、第１開口溝１２１と連通して第１キャビティを形成する。つまり、上記第１開口溝１２１は上記第２開口溝１２２と協働し、上記外側端板１５は上記第２開口溝１２２の側面開口を覆うため、上記第１キャビティを形成する。間隔板は、第１キャビティ内に位置する第１スピーカ７０を駆動部から分離する。
【００４５】
さらに、上記第１キャビティに２つの対向する位置決めブロック（図示せず）が設けられる。上記第１スピーカ７０は、２つの上記位置決めブロックの間に挟持される。上記第１スピーカ７０が上記第１キャビティに設置されるための位置決めを助けるために、ボス（図示せず）が第２開口溝１２２に対する上記第１開口溝１２１の溝壁から突出するように設けられる。
【００４６】
図１１を参照すると、さらに、上記端部カバー１７は、第２スピーカ８０を収容する第２キャビティ（図示せず）と、第２音孔ゾーン８２と、を設ける。上記第２スピーカ８０の音響位置は、上記第２音孔ゾーン８２に向けられている。上記第２音孔ゾーン８２は、上記第２キャビティと連通する。本実施形態において、上記底板１７１にバッフル１７７が設けられる。上記バッフル１７７は、上記底板１７１および円周板１７２に接続されて溝本体１７８を形成する。上記第２音孔ゾーン８２は、上記溝本体１７８の一部を構成する円周板１７２に設けられる。上記端部カバー１７は、さらに、フラップ１７５を含む。上記フラップ１７５の第２キャビティ１７２に向き合う表面には、停止片１７５１が突出して設けられる。上記フラップ１７５は、上記溝本体１７８を覆って上記第２キャビティを形成する。上記停止片１７５１は、上記第２キャビティ内に延びて上記第２スピーカ８０に当接して上記第２スピーカ８０を上記第２キャビティ１７２内に位置決めする。上記フラップ１７５は、側辺にノッチ１７５２を設ける。上記ノッチ１７５２は、第２スピーカ８０のワイヤを通すのを容易にする。フラップ１７５は底板１７１と平行である。停止片２７５１は底板１７１と垂直である。
【００４７】
第１スピーカ７０は、ラチェット４２の中央貫通孔および回転軸２６の穿孔を通過するワイヤによって、リール２０における回路基板６０に電気的に接続される。回路基板６０は、セパレータ２１３の溝を通過するワイヤによって電池５０に電気的に接続される。電池５０は、回転軸２６の穿孔を通過するワイヤによって配線基板９２に電気的に接続される。配線基板９２は、ノッチ１７５２を通過するワイヤによって第２スピーカ８０に接続される。それにより、ドラム１０の全体において、完全な回路ループが形成される。
【００４８】
本発明のスピーカ７０、８０は、入力装置本体３０を使用する電子装置２００の音声を外部へ再生することができる。第１音孔ゾーン１５２と上記第２音孔ゾーン８２は、異なる方向に配向され、また、第１スピーカ７０および第２スピーカ８０は、上記ドラム１０の両端にあるため、第１スピーカ７０が軸方向に沿って側辺に向かって発音し、第２スピーカ８０が半径方向に沿ってドラム１０と垂直な軸方向（ユーザに向かう方向）に向かって発音すること実現することができ、ドラム１０の発音面積及び効果を改善する。
【００４９】
本発明による入力装置本体３０は、巻回可能なディスプレイとして使用されるフレキシブルディスプレイスクリーンと置き換わることができることが理解できる。また、フレキシブルディスプレイスクリーンは、入力装置本体と合わせて使用することにより、より多くの機能を有することができる。
【００５０】
以上は、本発明の好ましい実施形態である。当業者であれば、本発明の原理から逸脱することなく、幾つかの改良および変更を行うことができ、これらの改良および変更も本発明の保護の範囲とみなされることが理解されるべきである。
【図１】
2019501453.tif 000003
【図２】
2019501453.tif 000004
【図３】
2019501453.tif 000005
【図４】
2019501453.tif 000006
【図５】
2019501453.tif 000007
【図６】
2019501453.tif 000008
【図７】
2019501453.tif 000009
【図８】
2019501453.tif 000010
【図９】
2019501453.tif 000011
【図１０】
2019501453.tif 000012
【図１１】
2019501453.tif 000013
【図１２】
2019501453.tif 000014
【手続補正書】
【提出日】平成30年6月5日(2018.6.5)
【手続補正１】
【補正対象書類名】明細書
【補正対象項目名】００１８
【補正方法】変更
【補正の内容】
【００１８】  図１〜図４を参照すると、本実施形態において、上記巻回可能フレキシブル入力装置は、ドラム１０と、リール２０と、上記リール２０に接続される入力装置本体３０と、上記リール２０に接続される駆動部（図示せず）と、電池５０と、回路基板６０とを含み、上記ドラム１０に、スピーカ７０、８０（図８及び図１１を参照）と、タッチスイッチ部品９０とが設けられる。入力装置本体３０は、フレキシブルキーボードまたはフレキシブル筆記パッドであってもよい。上記電池５０および回路基板６０は、上記リール２０内に収容される。上記リール２０及び駆動部は、上記ドラム１０内に収容される。上記駆動部は、上記リール２０を回転させて、上記入力装置本体３０を上記リール２０に巻き取り、または、リール２０から巻き出す。上記入力装置本体３０の一端がドラム１０から露出されることにより、上記入力装置本体３０がドラム１０から引き伸ばされて出される。上記電池５０は、回路基板６０に電気的に接続される。上記入力装置本体３０は、上記回路基板６０に電気的に接続される。上記スピーカ７０、８０のそれぞれは、上記ドラム１０の両端に位置し、上記巻回可能フレキシブル入力装置を使う電子装置を再生するように構成される。本発明による上記入力装置本体３０は、フレキシブル巻回可能のフレキシブルキーボードである。
【手続補正２】
【補正対象書類名】明細書
【補正対象項目名】００２０
【補正方法】変更
【補正の内容】
【００２０】  図５を参照すると、上記第２ハウジング１３は、第３端部１３１１と、第４端部１３３２と、半円形を呈する断面を有する円弧面１３１と、互いに対向する２つの第２端板１３２、１３３とを含む。上記第３端部１３１１および第４端部１３３２は、上記第２ハウジング１３における、軸線上にある２つの端部である。上記第２端板１３２と第２端板１３３とは、円弧面１３１に互いに対向して設けられ、上記第２端板１３２、１３３と、上記第２端板１３２と第２端板１３３との間にある上記円弧面１３１とは、第３溝１３４を形成する。上記第２端板１３２は、断面が半円形状の薄板であり、上記円弧面１３１の上記第３端部１３１１に近い位置に設けられる。上記第２端板１３２と第３端部１３１１との間の円弧面１３１に、第２縦板１３８がさらに設けられる。上記第２縦板１３８と第３端部１３１１との間に第２端部溝１３６が形成され、上記第２縦板１３８と第２端板１３２との間に、第４溝１３７が形成される。上記第２端板１３３は、上記第４端部１３３２に設けられ、第４端部１３３２を閉じる。本発明において、上記第１ハウジング１１は上記第２ハウジング１３に係合され、上記第１溝１１４は、収容キャビティを形成するために上記第３溝１３４に突き合わされる。上記第２溝１１７は、第２キャビティを形成するために上記第４溝１３７に突き合わされ、上記第１溝１１６は、第１キャビティを形成するために上記第２端部溝１３６に突き合わされ、上記第１端部１１１１は、端口（図示せず）を形成するために上記第３端部１３１１に突き合わされる。上記第１キャビティは、上記ドラム１０の一端に位置し、上記端口を介して外部と貫通している。上記外側端板１５は、上記端口に覆われ、上記第１キャビティを閉じる。上記収容キャビティ、第２キャビティ及び第１キャビティは、ドラム１０の軸線に沿って順に設けられる。
【手続補正３】
【補正対象書類名】明細書
【補正対象項目名】００２１
【補正方法】変更
【補正の内容】
【００２１】  さらに、上記第１端板１１２および上記第１端板１１３の両方には、ノッチ１１９が設けられ、上記第２端板１３２および上記第２端板１３３の両方には、ノッチ１３９が設けられる。上記第１ハウジング１１と同軸の半円形管体１１５は、第１端板１１３のノッチ１１９の周縁に沿って外側に突出している。上記第２ハウジング１３と同軸の半円形管体１３５は、第２端板１３３のノッチ１３９に近い周縁に沿って外側に突出している。上記第１ハウジング１１は上記第２ハウジング１３と係合する時、軸孔を形成するために２つの上記第１端板１１２、１１３のそれぞれが２つの上記第２端板１３２、１３３に突き合わされ、第１端板１１２、１１３のそれぞれのノッチ１１９がそれに対応する第２端板１３２、１３３のノッチ１１９と突き合わされる。即ち、上記第１端板１１２が第２端板１３２と突き合わされるとノッチ１１９とノッチ１３９とが１つの軸孔を形成し、上記第１端板１１３が第２端板１３３と突き合わされるとノッチ１１９とノッチ１３９とがもう１つの軸孔を形成する。同時に、上記半円形管体１１５と上記半円形管体１３５とが突出管１４を形成する（図７を参照）。上記突出管１４は、上記ドラム１０の一端から突出する。２つの上記軸孔は両方も上記収容キャビティと貫通する。上記リール２０は上記収容キャビティ内に収容され、２つの対向する端部が転動可能に２つの上記軸孔内に設置される。上記第１端板１１３は、上記ドラム１０の主板端を形成するために第２端板１３３に突き合わされる。上記主板端および端口は、それぞれ上記本体、すなわち上記ドラム１０の２つの対向する端部を構成する。上記外側端板１５は上記端口を覆い、上記端部カバー１７は、上記主板端に近接する。
【手続補正４】
【補正対象書類名】明細書
【補正対象項目名】００２２
【補正方法】変更
【補正の内容】
【００２２】  図２〜図５を再度参照すると、２つの上記第１端板１１２、１１３の一つの第１端板１１２に近くに挟持部が設けられ、上記第１ハウジング１１のもう一つの第１端板１１３の外側に挟持部が設けられる。２つの上記第２端板１３２、１３３における、上記第１端板１１２、１１３の挟持部に対向する、スナップ部が設けられる。上記挟持部は、スナップ、位置決めポスト、挟持溝、または位置決め孔である。上記スナップ部は、上記挟持部と合わせる、スナップ、位置決めポスト、挟持溝、または位置決め孔である。図２及び図３を参照すると、具体的には、本実施形態において、上記円弧面１１１と同じ向きの第１端板１１３の半円形管体１１５の面は、２つの挟持溝１１３２が設けられる。それに対向する第２端板１３３の半円形管体１３５に、挟持溝１１３２と挟持される２つのスナップ１３３４が設けられる。上記第１ハウジング１１の円弧面１１１における、第１端板１１２に近い外側の第１縦板１１８の近くにスナップ１１１３が設けられる。上記第１ハウジング１１における、第１端部１１１１に近い側辺に位置決めポスト１１３３が設けられる。対応する上記第２ハウジング１３における、第２端板１３２の外側の第２縦板１３８に挟持突起１３１３が設けられる。上記第２ハウジング１３における、第３端部１３１１に隣接する側辺に位置決め孔１３３３が設けられる。第１ハウジング１１のスナップ１１１３は、第２ハウジング１３の挟持突起１３１３と挟持し、第１ハウジング１１の挟持溝１１３２は第２ハウジング１３のスナップ１３３４とスナップし、第１ハウジング１１の位置決めポスト１１３３は第２ハウジング１３の位置決め孔１３３３に挿入され、その結果、第１ハウジング１１と第２ハウジング１３との間におけるスナップを実現する。他の実施形態において、上記挟持部が２つの上記第２端板１３２、１３３に設けられ得、上記スナップ部が２つの上記第１端板１１２、１１３に設けられ得、第１ハウジング１１と第２ハウジング１３との間の挟持固定を実現できるものであればよい。
【手続補正５】
【補正対象書類名】明細書
【補正対象項目名】００２９
【補正方法】変更
【補正の内容】
【００２９】  また、上記第１軸体２１において、上記第２軸体２３に向かって延びる位置決め孔が設けられる。上記第２軸体２３において、上記位置決め孔に対応して位置決めポストが設けられる。上記第１軸体２１と上記第２軸体２３とを係合し、上記位置決めポストが上記位置決め孔内に挟持されることにより、第１軸体２１が第２軸体２３上に固定される。具体的には、上記第１収納溝２１１に２つの端壁２１１１が設けられる。２つの上記端壁２１１１のそれぞれは、２つの上記端板２５に隣接して設けられる。２つの端壁２１１１に、上記第２収納溝２３１に向かって位置決め孔２１１２が設けられる。上記第２収納溝２３１に２つの端壁２３１１が設けられる。上記２つの端壁２３１１の、上記位置決め孔２１１２に対応する位置において、位置決めポスト（図示せず）が設けられる。上記第１軸体２１と上記第２軸体２３とを係合し、上記第２収納溝２３１の端壁２３１１が上記第１収納溝２１１の端壁２１１１に突き合わされ、上記位置決め孔２１１２内に上記位置決めポストが挟持されることにより、第１軸体２１が第２軸体２３と固定される。
【手続補正６】
【補正対象書類名】明細書
【補正対象項目名】００３４
【補正方法】変更
【補正の内容】
【００３４】  図８を参照すると、上記駆動ボタン４５は、押し板４５１と、押し板４５１の一表面に設けられる制限スナップ４５２と、ばね４５３と、当接体４５４とを含む。上記外側端板１５に、制限挟持溝１５５及び貫通孔１５６が設けられ、上記制限スナップ４５２が上記制限挟持溝１５５に挟持される。上記駆動ボタン４５は、押し板４５１からラチェット４２に向かって伸びる支柱４５５を含む。上記駆動ボタン４５は、上記ドラム１０の端部に設けられる。上記ばね４５３は、支柱４５５に嵌められるように設けられ、上記押し板４５１と上記外側端板１５との間に当接している。上記当接体４５４は、上記貫通孔１５６及び上記第１キャビティを貫通し、上記制限パッド４３に当接する。上記当接体４５４は上記制限パッド４３に当接して上記制限パッド４３を押圧すると、上記制限パッド４３が上記ギア歯４２１から離れる方向に傾いてラチェット４２が解除される。図４及び図８を参照すると、本実施形態において、上記第１縦板１１８に開口が設けられ、上記制限パッド４３は、上記第１ハウジング１１の第１端部溝１１６内に設けられ、上記第１縦板１１８に隣接する。上記制限パッド４３の開口に位置する側は、上記ラチェット４２のギア歯４２１に向かう。本実施形態において、上記当接体４５４の端部は当接斜面を設ける。上記当接斜面は上記制限パッド４３に当接し、上記制限パッド４３を容易に押すことができる。当接斜面は制限パッド４３に当接する時、当接斜面が制限パッド４３を押して外側に向かって変形するため、制限パッド４３をラチェット４２から分離させる。
【手続補正７】
【補正対象書類名】明細書
【補正対象項目名】００４６
【補正方法】変更
【補正の内容】
【００４６】  図１１を参照すると、さらに、上記端部カバー１７は、第２スピーカ８０を収容する第２キャビティ（図示せず）と、第２音孔ゾーン８２と、を設ける。上記第２スピーカ８０の音響位置は、上記第２音孔ゾーン８２に向けられている。上記第２音孔ゾーン８２は、上記第２キャビティと連通する。本実施形態において、上記底板１７１にバッフル１７７が設けられる。上記バッフル１７７は、上記底板１７１および円周板１７２に接続されて溝本体１７８を形成する。上記第２音孔ゾーン８２は、上記溝本体１７８の一部を構成する円周板１７２に設けられる。上記端部カバー１７は、さらに、フラップ１７５を含む。上記フラップ１７５の第２キャビティ１７２に向き合う表面には、停止片１７５１が突出して設けられる。上記フラップ１７５は、上記溝本体１７８を覆って上記第２キャビティを形成する。上記停止片１７５１は、上記第２キャビティ内に延びて上記第２スピーカ８０に当接して上記第２スピーカ８０を上記第２キャビティ１７２内に位置決めする。上記フラップ１７５は、側辺にノッチ１７５２を設ける。上記ノッチ１７５２は、第２スピーカ８０のワイヤを通すのを容易にする。フラップ１７５は底板１７１と平行である。停止片１７５１は底板１７１と垂直である。
【国際調査報告】
2019501453.tif 000015
2019501453.tif 000016
2019501453.tif 000017
2019501453.tif 000018